(57)【特許請求の範囲】
【請求項１】
イオン交換能力の低下したイオン交換樹脂を収容した再生処理タンクに、再生液を供給して前記イオン交換樹脂を再生するイオン交換樹脂の再生方法において、
前記再生処理タンクにイオン交換能力の低下した前記イオン交換樹脂を収容して洗浄水を供給し、前記イオン交換樹脂を水洗し、イオン交換樹脂洗浄後の洗浄水を排出する第１水洗工程と、
第１水洗工程終了後、再生液タンクから前記再生液を前記再生処理タンクに供給して前記イオン交換樹脂を再生する再生工程と、
前記イオン交換樹脂を再生後の前記再生液を排出する再生液排出工程と、
再生液排出工程で排出された前記再生液の状態をセンサでモニターし、前記イオン交換樹脂の再生が終了したことを検知した際に、前記再生液の排出を停止すると共に、前記再生処理タンク内に残留した前記再生液を前記再生処理タンクの中間部に設けられた再生液戻し経路を介して前記再生液タンクに戻す再生液戻し工程と、
該再生液戻し工程終了後に、前記再生処理タンクに洗浄水を供給し、前記イオン交換樹脂を水洗し、次いで、前記イオン交換樹脂を洗浄後の洗浄水を排出する第２水洗工程とを有することを特徴とするイオン交換樹脂の再生方法。
【発明の詳細な説明】
【技術分野】
【０００１】
本発明は、イオン交換樹脂の再生方法に関し、詳しくは、イオン交換能力の低下したイオン交換樹脂を収容した再生処理タンクに、再生液を供給してイオン交換樹脂を再生するイオン交換樹脂の再生方法に関する。
【背景技術】
【０００２】
従来、溶液中に含まれた各イオンを分離するために、イオン交換樹脂が用いられているが、このイオン交換樹脂は、一定量のイオン交換を行うとイオン交換能力を失うことから、元の交換イオンを含む再生液に浸漬させて再生させている。このイオン交換樹脂の再生方法として、イオン交換能力の低下したイオン交換樹脂を収容した再生処理タンクに、再生液を収容した再生液タンクから再生液供給径路を介して再生液を供給し、再生処理タンクの出口から廃液径路を介してイオン交換樹脂を通過した再生液を廃液槽に送るものがあった（例えば、特許文献１参照。）。
【先行技術文献】
【特許文献】
【０００３】
【特許文献１】特開平７−２７０２１４号
【発明の概要】
【発明が解決しようとする課題】
【０００４】
しかし、上述の特許文献１のものでは、イオン交換樹脂の再生が終了した際に、再生処理タンクに残留した再生液は、廃液径路を介して廃液槽に送られ、無駄に廃棄されていた。
【０００５】
そこで本発明は、イオン交換樹脂の再生が終了した際に、再生処理タンクに残留した再生液を再生液タンクに戻し、無駄を無くすことができるイオン交換樹脂の再生方法を提供することを目的としている。
【課題を解決するための手段】
【０００６】
上記目的を達成するため、本発明のイオン交換樹脂の再生方法は、イオン交換能力の低下したイオン交換樹脂を収容した再生処理タンクに、再生液を供給して前記イオン交換樹脂を再生するイオン交換樹脂の再生方法において、前記再生処理タンクにイオン交換能力の低下した前記イオン交換樹脂を収容して洗浄水を供給し、前記イオン交換樹脂を水洗し、イオン交換樹脂洗浄後の洗浄水を排出する第１水洗工程と、第１水洗工程終了後、再生液タンクから前記再生液を前記再生処理タンクに供給して前記イオン交換樹脂を再生する再生工程と、前記イオン交換樹脂を再生後の前記再生液を排出する再生液排出工程と、再生液排出工程で排出された前記再生液の状態をセンサでモニターし、前記イオン交換樹脂の再生が終了したことを検知した際に、前記再生液の排出を停止すると共に、前記再生処理タンク内に残留した前記再生液を前記再生処理タンクの中間部に設けられた再生液戻し経路を介して前記再生液タンクに戻す再生液戻し工程と、該再生液戻し工程終了後に、前記再生処理タンクに洗浄水を供給し、前記イオン交換樹脂を水洗し、次いで、前記イオン交換樹脂を洗浄後の洗浄水を排出する第２水洗工程とを有することを特徴としている。
【発明の効果】
【０００７】
本発明のイオン交換樹脂の再生方法によれば、再生液排出工程で排出された前記再生液の状態をセンサによってモニターし、イオン交換樹脂の再生が終了したことを検知した際に、再生液の排出を停止すると共に、再生処理タンク内に残留した再生液を再生液戻し径路を介して再生液タンクに戻す再生液戻し工程を備えていることにより、再生液を無駄にすることなく有効に利用することができ、コストの削減を図ることができる。
【図面の簡単な説明】
【０００８】
【図１】本発明の一形態例を示すイオン交換樹脂再生装置の系統図である。
【図２】第１水洗工程で再生処理タンクに洗浄水を供給しているイオン交換樹脂再生装置の説明図である。
【図３】第１水洗工程で再生処理タンクから洗浄水を排出しているイオン交換樹脂再生装置の説明図である。
【図４】再生工程で再生処理タンクに再生液を供給しているイオン交換樹脂再生装置の説明図である。
【図５】再生工程で再生処理タンクから再生液を排出しているイオン交換樹脂再生装置の説明図である。
【図６】再生液戻し工程で再生処理タンクから再生液タンクに再生液を戻しているイオン交換樹脂再生装置の説明図である。
【図７】第２水洗工程で再生処理タンクに洗浄水を供給しているイオン交換樹脂再生装置の説明図である。
【図８】第２水洗工程で再生処理タンクから洗浄水を排出しているイオン交換樹脂再生装置の説明図である。
【発明を実施するための形態】
【０００９】
図１は、イオン交換樹脂再生装置１１の一形態例を示すもので、イオン交換能力の低下したイオン交換樹脂１２を収容する再生処理タンク１３と、再生液を貯留する再生液タンク１４と、洗浄水を貯留する給水タンク１５と、再生処理タンク１３からの廃液を貯留する廃液槽１６と、再生処理タンク１３からの廃液の状態をモニターするセンサ１７とを備えている。
【００１０】
再生処理タンク１３には、イオン交換樹脂１２を導入する導入経路１３ａと、イオン交換樹脂１を導出する導出径路１３ｂとが設けられている。再生処理タンク１３と給水タンク１５との間には給水径路１８が設けられ、給水径路１８には給水弁１９が設けられている。再生処理タンク１３と廃液槽１６との間には、排水径路２０が設けられ、排水径路２０の再生処理タンク１３側には前記センサ１７が設けられるとともに、センサ１７よりも下流側に、出口弁２１と引抜きポンプ２２と廃液排出弁２３とが順に設けられている。再生液タンク１４の下部と再生処理タンク１３の上部との間には、再生液を供給する再生液供給径路２４が設けられ、再生液供給径路２４には、再生液タンク１４側に供給弁２５が、再生処理タンク１３側に再生液注入弁２６がそれぞれ設けられ、供給弁２５と再生液注入弁２６との間に再生液ポンプ２７が配置されている。さらに、再生液タンク１４の上部と再生処理タンク１３の中間部との間には、再生処理タンク１３から再生液を再生液タンク１４に戻す再生液戻し径路２８が設けられ、再生液戻し径路２８には、再生処理タンク１３側に余剰再生液排出弁２９が、再生液タンク１４側に再生液戻し弁３０がそれぞれ設けられ、余剰再生液排出弁２９と再生液戻し弁３０との間に前記再生液ポンプ２７が配置されている。また、再生液供給径路２４と再生液戻し径路２８とは、一部に共通の配管が用いられている。
【００１１】
上述のイオン交換樹脂再生装置１１でイオン交換能力の低下したイオン交換樹脂１２を再生させる際には、導入経路１３ａを介してイオン交換能力の低下したイオン交換樹脂１２を再生処理タンク１３に導入した後、まず、第１水洗工程が行われる。第１水洗工程では、図２に示されるように、給水弁１９を開き、給水タンク１５から給水径路１８を介して再生処理タンク１３に洗浄水を供給した後、図３に示されるように、給水弁１９を閉じて、出口弁２１と廃液排出弁２３とを開き、引抜きポンプ２２を作動させて排水径路２０を介して、イオン交換樹脂１２を洗浄した排水を廃液槽１６に送る。
【００１２】
第１水洗工程終了後、再生工程が行われる。再生工程では、図４に示されるように、引抜きポンプ２２を停止するとともに出口弁２１と廃液排出弁２３とを閉じ、供給弁２５と再生液注入弁２６とを開き、再生液ポンプ２７を作動させて再生液供給径路２４を介して再生液を再生処理タンク１３に送り、イオン交換樹脂１２を再生させる。
【００１３】
次いで、図５に示されるように、再生液排出工程が行われる。再生液排出工程では、再生液ポンプ２７を停止するとともに供給弁２５と再生液注入弁２６とを閉じ、出口弁２１と廃液排出弁２３とを開き、引抜きポンプ２２を作動させて、排水径路２０を介してイオン交換樹脂１２を通過した再生液を廃液槽１６に送る。
【００１４】
再生処理タンク１３から排出されるイオン交換樹脂１２を通過した再生液は、排水径路２０に設けられたセンサ１７によってモニターされ、イオン交換樹脂１２の再生が終了したことを検知した際には、再生液戻し工程が行われる。再生液戻し工程は、図６に示されるように、引抜きポンプ２２を停止するとともに出口弁２１と廃液排出弁２３とを閉じ、余剰再生液排出弁２９と再生液戻し弁３０とを開き、再生液ポンプ２７を作動させ、再生処理タンク１３内に残留した再生液を再生液戻し径路２８を介して再生液タンク１４に戻す。
【００１５】
再生液戻し工程終了後、第２水洗工程が行われる。第２水洗工程は、図７に示されるように、再生液ポンプ２７を停止するとともに余剰再生液排出弁２９と再生液戻し弁３０とを閉じ、第１水洗工程と同様に、給水弁１９を開き給水タンク１５から給水径路１８を介して再生処理タンク１３に洗浄水を供給した後、図８に示されるように、給水弁１９を閉じ、出口弁２１と廃液排出弁２３とを開き、引抜きポンプ２２を作動させて排水径路２０を介してイオン交換樹脂１２を洗浄した排水を廃液槽１６に送液し、導出径路１３ｂを介して再生されたイオン交換樹脂１２を導出する。
【００１６】
本形態例は、上述のように、排水径路２０に設けたセンサ１７によって、イオン交換樹脂１２を通過した再生液の状態をモニターし、イオン交換樹脂１２の再生が終了したことを検知した際に、排水径路２０を遮断すると共に、再生処理タンク１３内に残留した再生液を再生液戻し径路２８を介して再生液タンク１４に戻す再生液戻し工程を備えていることにより、再生液を無駄にすることなく有効に利用することができ、コストの削減を図ることができる。
【００１７】
なお、本発明のイオン交換樹脂は限定されるものではなく、また、再生液やセンサは、イオン交換樹脂に応じて適宜選択すればよい。さらに、再生処理タンクと再生液タンクとの間に高低差があれば、再生液ポンプを省略することができる。
【符号の説明】
【００１８】
１１…イオン交換樹脂生成装置、１２…イオン交換樹脂、１３…再生処理タンク、１３ａ…導入経路、１３ｂ…導出径路、１４…再生液タンク、１５…給水タンク、１６…廃液槽、１７…センサ、１８…給水径路、１９…給水弁、２０…排水径路、２１…出口弁、２２…引抜きポンプ、２３…廃液排出弁、２４…再生液供給径路、２５…供給弁、２６…再生液注入弁、２７…再生液ポンプ、２８…再生液戻し径路、２９…余剰再生液排出弁、３０…再生液戻し弁
【図１】
0006535532.tif 000002
【図２】
0006535532.tif 000003
【図３】
0006535532.tif 000004
【図４】
0006535532.tif 000005
【図５】
0006535532.tif 000006
【図６】
0006535532.tif 000007
【図７】
0006535532.tif 000008
【図８】
0006535532.tif 000009